(57)【要約】【課題】光ピックアップを十分に冷却することが可能なディスク装置を提供する。【解決手段】この光ディスク装置１００（ディスク装置）は、光ディスク１１０を載置可能なトレイ１と、光ディスク１１０をトレイ１の載置面から離間するように支持するとともに、支持した光ディスク１１０を回転させるディスク回転部６と、光ディスク１１０の載置面側に配置され、光ディスク１１０に光を照射する光ピックアップ５とを備え、トレイ１は、光ディスク１１０が載置される載置領域においてディスク回転部６による光ディスク１１０の回転方向（Ｒ方向）の上流側から光ピックアップ５に向かって延びるとともに回転方向の上流側から下流側に向かって載置領域の外側から内側に延びるように形成され、トレイ１の載置面とは反対の裏面側からトレイ１の載置面側に空気を取り込むための空気取込開口部１４を有している。【選択図】図３
2011165283.tif 000002
【特許請求の範囲】
【請求項１】
ディスクを載置可能なトレイと、
前記トレイに載置される前記ディスクを前記トレイの載置面から離間するように支持するとともに、支持した前記ディスクを回転させる回転部と、
前記ディスクの載置面側に配置され、前記ディスクに光を照射する光ピックアップとを備え、
前記トレイは、前記ディスクが載置される載置領域において前記回転部による前記ディスクの回転方向の上流側から前記光ピックアップに向かって延びるとともに前記回転方向の上流側から下流側に向かって前記載置領域の外側から内側に延びるように形成され、前記トレイの載置面とは反対の裏面側から前記トレイの載置面側に空気を取り込むための空気取込開口部を有している、ディスク装置。
【請求項２】
前記光ピックアップは、前記ディスクの半径方向に移動可能に構成されており、
前記トレイの前記空気取込開口部は、前記光ピックアップの移動方向に対して前記ディスクの回転方向に鋭角の角度で前記ディスクの回転方向の上流側から前記光ピックアップに向かって延びるように形成されている、請求項１に記載のディスク装置。
【請求項３】
前記トレイは、前記回転部および前記光ピックアップを前記トレイの載置面側に露出させるための露出開口部をさらに有し、
前記トレイの前記空気取込開口部は、前記空気取込開口部の下流側の部分において前記露出開口部に接続される切欠形状に形成されている、請求項１または２に記載のディスク装置。
【請求項４】
前記光ピックアップは、前記ディスクの半径方向に移動可能に構成されており、
前記空気取込開口部は、前記光ピックアップの移動経路上の所定位置に向かって延びるように形成されている、請求項１〜３のいずれか１項に記載のディスク装置。
【請求項５】
前記光ピックアップは、前記ディスクの中心部近傍に光を照射する際に配置される第１の位置および前記ディスクの外周部近傍に光を照射する際に配置される第２の位置の間を前記ディスクの半径方向に移動可能に構成されており、
前記トレイの前記空気取込開口部は、少なくとも、前記回転部による前記ディスクの回転方向の上流側から前記所定位置としての前記第１の位置に配置された前記光ピックアップに向かって延びるように形成された第１空気取込開口部を含む、請求項４に記載のディスク装置。
【請求項６】
前記トレイの前記空気取込開口部は、前記第１空気取込開口部に加えて、前記回転部による前記ディスクの回転方向の上流側から前記所定位置としての前記第２の位置に配置された前記光ピックアップに向かって延びるように形成された第２空気取込開口部をさらに含む、請求項５に記載のディスク装置。
【請求項７】
前記トレイの前記載置領域には、第１のディスクを載置するための第１領域と前記第１のディスクよりも大きい第２のディスクを載置するための第２領域とが設けられており、
前記トレイの前記空気取込開口部は、前記載置領域において前記第１領域よりも外側から内側に延びるように形成されている、請求項１〜６のいずれか１項に記載のディスク装置。
【請求項８】
前記トレイは、樹脂により形成された樹脂部を含み、
前記空気取込開口部は、前記トレイの前記樹脂部に形成されている、請求項１〜７のいずれか１項に記載のディスク装置。
【発明の詳細な説明】
【技術分野】
【０００１】
この発明は、ディスク装置に関し、ディスクに光を照射する光ピックアップを備えるディスク装置に関する。
【背景技術】
【０００２】
従来、ディスクに光を照射する光ピックアップを備えるディスク装置が知られている（たとえば、特許文献１参照）。
【０００３】
上記特許文献１には、ディスクにレーザ光を照射する光ピックアップと、ディスクを支持して回転させる駆動機構（回転部）と、光ピックアップをディスクの半径方向に移動させるメカ本体と、メカ本体をカバーするメカカバーとを備えた光ディスク装置が開示されている。この光ディスク装置では、光ピックアップの移動領域に沿って光ピックアップの移動方向と平行に延びる開口部がメカカバーに形成されている。また、この光ディスク装置は、ディスクの回転によりディスクとメカカバーとの間に生じる空気流を開口部から光ピックアップが配置されるメカカバーの下方に取り込むことによって、光ピックアップを冷却するように構成されている。
【先行技術文献】
【特許文献】
【０００４】
【特許文献１】特開２００８−２５１０５８号公報
【発明の概要】
【発明が解決しようとする課題】
【０００５】
しかしながら、上記特許文献１の光ディスク装置では、光ピックアップの移動領域に沿って光ピックアップの移動方向と平行に延びる開口部からメカカバーの下方に空気流が取り込まれるので、メカカバーの下方に取り込んだ空気流が光ピックアップの移動領域全体に分散してしまい、その結果、光ピックアップに集中的に導くことができないと考えられる。このため、光ピックアップを十分に冷却することができないという問題点がある。
【０００６】
この発明は、上記のような課題を解決するためになされたものであり、この発明の１つの目的は、光ピックアップを十分に冷却することが可能なディスク装置を提供することである。
【課題を解決するための手段および発明の効果】
【０００７】
この発明の一の局面によるディスク装置は、ディスクを載置可能なトレイと、トレイに載置されるディスクをトレイの載置面から離間するように支持するとともに、支持したディスクを回転させる回転部と、ディスクの載置面側に配置され、ディスクに光を照射する光ピックアップとを備え、トレイは、ディスクが載置される載置領域において回転部によるディスクの回転方向の上流側から光ピックアップに向かって延びるとともに回転方向の上流側から下流側に向かって載置領域の外側から内側に延びるように形成され、トレイの載置面とは反対の裏面側からトレイの載置面側に空気を取り込むための空気取込開口部を有している。
【０００８】
この発明の一の局面によるディスク装置では、上記のように、ディスクが載置される載置領域においてトレイの裏面側から載置面側に空気を取り込むための空気取込開口部を設けることによって、ディスクの回転に起因してディスクとトレイの載置面との間に生じる空気流により、空気取込開口部を介してトレイの裏面側から載置面側に空気を取り込む（引き込む）ことができる。また、空気取込開口部を、ディスクが載置される載置領域において回転部によるディスクの回転方向の上流側から光ピックアップに向かって延びるとともに回転方向の上流側から下流側に向かって載置領域の外側から内側に延びるように形成することによって、光ピックアップに向かって延びる空気取込開口部から取り込まれた空気が空気取込開口部よりも下流側に位置する光ピックアップに集中的に導かれるので、たとえば、空気取込開口部を光ピックアップの移動方向と平行に延びるように形成した場合など、空気取込開口部から取り込まれた空気が分散されてしまう場合と異なり、光ピックアップを十分に冷却することができる。なお、この光ピックアップを冷却することができるという効果は、後述する発明者が行ったシミュレーションにより確認済みである。
【０００９】
上記一の局面によるディスク装置において、好ましくは、光ピックアップは、ディスクの半径方向に移動可能に構成されており、トレイの空気取込開口部は、光ピックアップの移動方向に対してディスクの回転方向に鋭角の角度でディスクの回転方向の上流側から光ピックアップに向かって延びるように形成されている。このように構成すれば、空気取込開口部を、容易に、回転部によるディスクの回転方向の上流側から光ピックアップに向かって延びるとともに回転方向の上流側から下流側に向かって載置領域の外側から内側に延びるように形成することができるので、容易に、光ピックアップの冷却効果を十分に向上させることができる。
【００１０】
上記一の局面によるディスク装置において、好ましくは、トレイは、回転部および光ピックアップをトレイの載置面側に露出させるための露出開口部をさらに有し、トレイの空気取込開口部は、空気取込開口部の下流側の部分において露出開口部に接続される切欠形状に形成されている。このように構成すれば、空気取込開口部と露出開口部とが分離されている場合と異なり、空気取込開口部と露出開口部との間に分離部（分離壁）がない分、空気取込開口部から取り込まれた空気が露出開口部に露出される光ピックアップにより多く導かれるので、光ピックアップをより十分に冷却することができる。
【００１１】
上記一の局面によるディスク装置において、好ましくは、光ピックアップは、ディスクの半径方向に移動可能に構成されており、空気取込開口部は、光ピックアップの移動経路上の所定位置に向かって延びるように形成されている。このように構成すれば、空気取込開口部から取り込まれた空気が移動経路上の所定位置に位置する光ピックアップに対して集中的に導かれるので、所定位置に位置する光ピックアップを効率よく冷却することができる。
【００１２】
この場合、好ましくは、光ピックアップは、ディスクの中心部近傍に光を照射する際に配置される第１の位置およびディスクの外周部近傍に光を照射する際に配置される第２の位置の間をディスクの半径方向に移動可能に構成されており、トレイの空気取込開口部は、少なくとも、回転部によるディスクの回転方向の上流側から所定位置としての第１の位置に配置された光ピックアップに向かって延びるように形成された第１空気取込開口部を含む。このように構成すれば、第１の位置に位置する光ピックアップに空気が集中的に導かれるので、光ピックアップがディスクの中心部近傍に光を照射する際に高温となるディスク装置において、光ピックアップを効率よく冷却することができる。
【００１３】
上記光ピックアップが第１の位置および第２の位置の間を移動可能な構成において、好ましくは、トレイの空気取込開口部は、第１空気取込開口部に加えて、回転部によるディスクの回転方向の上流側から所定位置としての第２の位置に配置された光ピックアップに向かって延びるように形成された第２空気取込開口部をさらに含む。このように構成すれば、光ピックアップがディスクの中心部近傍に光を照射する際およびディスクの外周部近傍に光を照射する際の両方で高温となるディスク装置において、光ピックアップを効率よく冷却することができる。
【００１４】
上記一の局面によるディスク装置において、好ましくは、トレイの載置領域には、第１のディスクを載置するための第１領域と第１のディスクよりも大きい第２のディスクを載置するための第２領域とが設けられており、トレイの空気取込開口部は、載置領域において第１領域よりも外側から内側に延びるように形成されている。このように構成すれば、空気取込開口部を第１領域の領域内に形成する場合に比べて、空気取込開口部の大きさがより大きくなるので、空気取込開口部からより多くの空気を取り込んで光ピックアップをさらに冷却することができる。
【００１５】
上記一の局面によるディスク装置において、好ましくは、トレイは、樹脂により形成された樹脂部を含み、空気取込開口部は、トレイの樹脂部に形成されている。このように構成すれば、加工が容易な樹脂部に容易に空気取込開口部を形成することができる。
【図面の簡単な説明】
【００１６】
【図１】本発明の第１実施形態による光ディスク装置の全体構成を示した斜視図である。
【図２】本発明の第１実施形態による光ディスク装置の全体構成を示した分解斜視図である。
【図３】本発明の第１実施形態による光ディスク装置の全体構成を示した平面図である。
【図４】本発明の第１実施形態による光ディスク装置のカバー部を取り外した状態の斜視図である。
【図５】図３の３００−３００線に沿った断面図である。
【図６】本発明の第１実施形態による光ディスク装置の光ピックアップの温度分布を示した図である。
【図７】本発明の第１実施形態の比較例による光ディスク装置の光ピックアップの温度分布を示した図である。
【図８】本発明の第１実施形態による光ディスク装置の光ピックアップの上面上における空気流の流速分布を示した図である。
【図９】本発明の第１実施形態の比較例による光ディスク装置の光ピックアップの上面上における空気流の流速分布を示した図である。
【図１０】本発明の第２実施形態による光ディスク装置の全体構成を示した平面図である。
【図１１】本発明の第１実施形態の変形例を示した平面図である。
【発明を実施するための形態】
【００１７】
以下、本発明の実施形態を図面に基づいて説明する。
【００１８】
（第１実施形態）
図１を参照して、本発明の第１実施形態による光ディスク装置１００の構成について説明する。なお、光ディスク装置１００は、本発明の「ディスク装置」の一例である。
【００１９】
本発明の一実施形態による光ディスク装置１００は、図１および図２に示すように、ＣＤやＤＶＤなどの光ディスク１１０（図５参照）を載置するためのトレイ１と、トレイ１を上方から覆うように配置されるカバー部２と、トレイ１を収納するローダシャーシ３と、トレイ１とローダシャーシ３との間に配置されるトラバースシャーシ４（図２参照）とを備えている。また、トラバースシャーシ４には、光ディスク１１０にレーザ光を照射する光ピックアップ５と光ディスク１１０を回転させるディスク回転部６とが搭載されている。なお、ディスク回転部６は、本発明の「回転部」の一例であり、光ディスク１１０は、本発明の「ディスク」の一例である。
【００２０】
トレイ１は、図示しない移動機構により、カバー部２、ローダシャーシ３およびトラバースシャーシ４に対してＸ方向に移動可能に構成されている。具体的には、トレイ１は、ユーザが光ディスク１１０を出し入れする際には、カバー部２、ローダシャーシ３およびトラバースシャーシ４に対してＸ１方向に突出するように移動する。また、光ディスク１１０を再生または光ディスク１１０に情報を記録する際には、トレイ１はローダシャーシ３に収納されて全体がカバー部２に覆われる位置に配置される。また、トレイ１は、全体が樹脂により一体的に形成されている。また、トレイ１の上面（Ｚ１方向側の表面）には、図２に示すように、小型の光ディスク１１０（直径約８０ｍｍの光ディスク）を載置するための第１領域１１と、大型の光ディスク１１０（直径約１２０ｍｍの光ディスク）を載置するための第２領域１２とが設けられている。第１領域１１および第２領域１２は、図３に示すように、平面的に見て略円形形状を有し、互いに同心円上に形成されている。また、第１領域１１は、第２領域１２に対して凹形状に形成されている。また、第２領域１２は、第２領域１２よりも外側の領域に対して凹形状に形成されている。
【００２１】
また、トレイ１には、略矩形形状の露出開口部１３が設けられている。露出開口部１３は、図３および図４に示すように、光ピックアップ５およびディスク回転部６をトレイ１の上面側（Ｚ１方向側）に露出させるために設けられている。また、露出開口部１３は、第１領域１１および第２領域１２の中心（光ディスク１１０の回転中心１１０ａ）よりもＸ１方向側から第２領域１２の外側の領域までＸ２方向に延びるように形成されている。
【００２２】
ここで、第１実施形態では、トレイ１には、光ディスク１１０の回転に起因して生じる空気流によりトレイ１の下側（Ｚ２方向側）から上側（Ｚ１方向側）に空気を引き込む（取り込む）ための空気取込開口部１４が設けられている。また、空気取込開口部１４は、Ｙ２方向側の端部が露出開口部１３に接続される切欠形状に形成されている。
【００２３】
また、空気取込開口部１４は、光ディスク１１０の回転方向（Ｒ方向）（平面的に見て時計回り方向）の上流側から光ピックアップ５に向かって延びるように形成されている。具体的には、空気取込開口部１４は、平面的に見て、光ディスク１１０の最も内側に記録された情報を読み出す際（または、光ディスク１１０の最も内側に情報を書き込む際）の最内位置１２０に配置された光ピックアップ５に向かって延びるように形成されている。また、空気取込開口部１４は、光ピックアップ５の近傍まで延びるように形成されている。また、空気取込開口部１４は、後述する光ピックアップ５の移動方向（Ｘ方向）に沿うように配置されている。詳細には、空気取込開口部１４は、図３に示すように、平面的に見て、光ピックアップ５の移動方向（Ｘ方向）に対する光ディスク１１０の回転方向（時計回り方向）に鋭角の角度Ａだけ傾斜するように形成されている。また、空気取込開口部１４は、光ディスク１１０の回転方向の上流側から下流側に向かって光ディスク１１０の載置領域の外側から内側に延びるように形成されている。
【００２４】
より詳細には、空気取込開口部１４は、第１領域１１および第２領域１２の中心（光ディスク１１０の回転中心１１０ａ）に対してＹ１方向側に配置されている。すなわち、空気取込開口部１４は、光ピックアップ５に対して光ディスク１１０の回転方向の上流側に配置されている。また、空気取込開口部１４は、Ｙ１方向の端部１４ａが回転中心１１０ａに対して光ピックアップ５が配置される側とは反対のＸ１方向側に配置されている。また、空気取込開口部１４は、平面的に見て、光ピックアップ５の中央部よりもＸ１方向側に設けられている。また、Ｙ１方向の端部１４ａは、第１領域１１よりも外側で、第２領域１２の外縁よりも内側（第２領域１２内）に位置している。また、Ｙ１方向の端部１４ａは、光ピックアップ５の移動方向（Ｘ方向）に略平行に形成されている。また、空気取込開口部１４は、略一定の幅（約１０ｍｍ）で形成されている。
【００２５】
カバー部２は、図１および図２に示すように、トレイ１、ローダシャーシ３、トラバースシャーシ４、光ピックアップ５およびディスク回転部６を上方から覆うために設けられている。具他的には、カバー部２は、略矩形形状を有する平板状の天板部２１と、天板部２１のＹ方向の両側から下方（Ｚ２方向）に延びる側部２２と、天板部２１の後端部（Ｘ２方向の端部）から下方に延びる図示しない背面部とを含んでいる。これにより、光ディスク装置１００の内部にチリやホコリなどが侵入するのを抑制することが可能である。また、カバー部２は、天板部２１、側部２２および背面部が板金により一体的に形成されている。
【００２６】
ローダシャーシ３は、トレイ１およびトラバースシャーシ４を保持するために設けられている。また、ローダシャーシ３は、図２に示すように、箱型に形成されている。具体的には、ローダシャーシ３は、略矩形形状を有する平板状の底面部３１と、Ｙ方向の両側に設けられ、上方（Ｚ２方向）に延びる側部３２と、底面部３１の後端部（Ｘ２方向の端部）から上方に延びる背面部３３と、底面部３１の前端部（Ｘ１方向の端部）から上方に延びる前面部３４とを含んでいる。また、前面部３４は、側部３２および背面部３３の高さの略半分の高さを有している。上記の構成により、ローダシャーシ３は、トレイ１、トラバースシャーシ４、光ピックアップ５およびディスク回転部６を内部に収納することが可能である。また、ローダシャーシ３は、底面部３１、側部３２、背面部３３および前面部３４が板金により一体的に形成されている。
【００２７】
トラバースシャーシ４は、図２に示すように、光ピックアップ５およびディスク回転部６を搭載するために設けられている。また、トラバースシャーシ４は、図示しない移動機構により、上面側に搭載された光ピックアップ５およびディスク回転部６を上下方向に移動させる機能を有している。
【００２８】
光ピックアップ５は、トラバースシャーシ４上に配置されている。また、光ピックアップ５は、光ディスク１１０（図５参照）の下側表面（載置面）にレーザ光を照射することによって、光ディスク１１０に記録された情報の読み取り、および、光ディスク１１０への情報の書き込みを行うように構成されている。具体的には、光ピックアップ５は、図２および図３に示すように、ＣＤ用の照射レンズ５１およびＤＶＤ用の照射レンズ５２の２つの照射レンズを有している。これにより、光ディスク装置１００は、ＣＤおよびＤＶＤの両方の光ディスク１１０に対応可能である。
【００２９】
また、光ピックアップ５は、図３および図４に示すように、ディスク回転部６のＸ２方向側に配置されている。また、光ピックアップ５は、ディスク回転部６のＸ２方向側において、一対のガイドレール７に沿ってＸ方向に移動可能に構成されている。具体的には、光ピックアップ５は、図３に示すように、光ディスク１１０の最も内側に記録された情報を読み出す際（または、光ディスク１１０の最も内側に情報を書き込む際）の最内位置１２０、および、最も外側に記録された情報を読み出す際（または、光ディスク１１０の最も外側に情報を書き込む際）の最外位置１３０の間をＸ方向に直線移動するように構成されている。なお、最内位置１２０は、本発明の「第１の位置」の一例であり、最外位置１３０は、本発明の「第２の位置」の一例である。また、第１実施形態の光ディスク装置１００では、光ピックアップ５は、最内位置１２０に位置する場合に最も高温となる。
【００３０】
ディスク回転部６は、トラバースシャーシ４の上面上に配置されている。また、ディスク回転部６は、第１領域１１および第２領域１２の中心部に配置されている。また、ディスク回転部６は、光ディスク１１０の中心部を支持してＲ方向（平面的に見て時計回り方向）に回転させる機能を有している。具体的には、ディスク回転部６は、光ディスク１１０の内縁に係合する係合部６１を有し、係合部６１により光ディスク１１０を固定支持するように構成されている。また、ディスク回転部６は、光ディスク１１０を支持した状態で、トラバースシャーシ４の上方（Ｚ１方向）への移動に伴って光ディスク１１０を上方に持ち上げるように構成されている。これにより、ディスク回転部６により支持された光ディスク１１０は、トレイ１の載置面（Ｚ１方向側の表面）から離間される。この状態において、ディスク回転部６は、光ディスク１１０をＲ方向（平面的に見て時計回り方向）に回転させるように構成されている。すなわち、光ディスク１１０は、トレイ１から離間した状態でＲ方向に回転される。
【００３１】
次に、図５を参照して、第１実施形態の光ディスク装置１００における光ディスク１１０の回転時の状態について説明する。
【００３２】
光ディスク１１０は、上述のとおり、ディスク回転部６により、トレイ１から離間された状態でＲ方向（平面的に見て時計回り方向）（図３参照）に回転される。この際、光ディスク１１０の回転により、光ディスク１１０とトレイ１の載置面（Ｚ１方向側の表面）との間に光ディスク１１０の回転方向（Ｒ方向）と略同じ方向の空気流が生じる。この空気流は、トレイ１の露出開口部１３に露出された光ピックアップ５の表面上を通過して光ピックアップ５を冷却する。
【００３３】
ここで、第１実施形態では、図５の太矢印で示すように、トレイ１の上方（Ｚ１方向）に生じる空気流により、トレイ１の下方（Ｚ２方向）の空気が空気取込開口部１４を介してトレイ１の上方（Ｚ１方向）に引き込まれる。すなわち、光ディスク１１０の回転による空気流は、トレイ１の下方の空気も巻き込んで（取り込んで）より多くの空気により形成されている。
【００３４】
第１実施形態では、上記のように、光ディスク１１０が載置される載置領域においてトレイ１の裏面側（Ｚ２方向側）から載置面側（Ｚ１方向側）に空気を取り込むための空気取込開口部１４を設けることによって、光ディスク１１０の回転に起因して光ディスク１１０とトレイ１の載置面（Ｚ１方向側の表面）との間に生じる空気流により、空気取込開口部１４を介してトレイ１の裏面側から載置面側に空気を取り込む（引き込む）ことができる。また、空気取込開口部１４を、光ディスク１１０が載置される載置領域においてディスク回転部６による光ディスク１１０の回転方向（Ｒ方向）の上流側から光ピックアップ５に向かって延びるとともに回転方向の上流側から下流側に向かって載置領域の外側から内側に延びるように形成することによって、光ピックアップ５に向かって延びる空気取込開口部１４から取り込まれた空気が空気取込開口部１４よりも下流側に位置する光ピックアップ５に集中的に導かれるので、たとえば、空気取込開口部１４を光ピックアップ５の移動方向と平行に延びるように形成した場合など、空気取込開口部１４から取り込まれた空気が分散されてしまう場合と異なり、光ピックアップ５を十分に冷却することができる。なお、この光ピックアップ５を冷却することができるという効果は、後述する発明者が行ったシミュレーションにより確認済みである。
【００３５】
また、第１実施形態では、トレイ１の空気取込開口部１４を、空気取込開口部１４の下流側の部分において露出開口部１３に接続される切欠形状に形成することによって、空気取込開口部１４と露出開口部１３とが分離されている場合と異なり、空気取込開口部１４と露出開口部１３との間に分離部（分離壁）がない分、空気取込開口部１４から取り込まれた空気が露出開口部１３に露出される光ピックアップ５により多く導かれるので、光ピックアップ５を十分に冷却することができる。
【００３６】
また、第１実施形態では、トレイ１の空気取込開口部１４を、ディスク回転部６による光ディスク１１０の回転方向（Ｒ方向）の上流側から最内位置１２０に配置された光ピックアップ５に向かって延びるように形成することによって、移動経路上の最内位置１２０に位置する光ピックアップ５に空気が集中的に導かれるので、光ピックアップ５が最内位置１２０で高温となる光ディスク装置１００において、光ピックアップ５を効率よく冷却することができる。
【００３７】
また、第１実施形態では、小型の光ディスク１１０を載置するための第１領域１１と大型の光ディスク１１０を載置するための第２領域１２とをトレイ１に設け、空気取込開口部１４を、第１領域１１よりも外側から内側に延びるように形成することによって、空気取込開口部１４を第１領域１１の領域内だけに形成する場合に比べて、空気取込開口部１４の大きさがより大きくなるので、空気取込開口部１４からより多くの空気を取り込んで光ピックアップ５をより冷却することができる。
【００３８】
また、第１実施形態では、トレイ１全体を樹脂により形成することによって、加工が容易な樹脂部に容易に空気取込開口部１４を形成することができる。
【００３９】
次に、上記第１実施形態による光ディスク装置１００を用いることによる効果を確認するために行ったシミュレーション結果について詳細に説明する。
【００４０】
図６には、本発明の第１実施形態による光ディスク装置の光ピックアップの温度分布が示されており、図７には、トレイに空気取込開口部を有さない比較例による光ディスク装置の光ピックアップの温度分布が示されている。また、このシミュレーションでは、比較例による光ディスク装置が空気取込開口部を有さないこと以外、本発明の第１実施形態による光ディスク装置１００および比較例による光ディスク装置のシミュレーション条件を同様に設定した。詳細には、本発明の第１実施形態による光ディスク装置１００および比較例による光ディスク装置ともに、光ピックアップに１Ｗｓの熱量を付与した状態で光ディスクを回転させた。また、本発明の第１実施形態による光ディスク装置１００および比較例による光ディスク装置ともに、光ピックアップの材質を鉄に設定した。また、本発明の第１実施形態による光ディスク装置１００および比較例による光ディスク装置ともに、温度分布が安定するまでシミュレーションを継続した。また、本発明の第１実施形態による光ディスク装置１００の空気取込開口部１４の光ピックアップ５の移動方向（Ｘ方向）に対する角度Ａ（図３参照）を３０度に設定した。
【００４１】
図６および図７に示すように、本発明の光ピックアップ５の方が比較例の光ピックアップよりも全体的に温度が低いことが分かる。特に、光ピックアップの中央部近傍（太線枠の部分）において、本発明の方が比較例に比べて温度が低いことが顕著である。また、比較例の光ピックアップの最高温度が４５．３℃であるのに対して、本発明の光ピックアップ５の最高温度は４２．６℃であり、本発明の最高温度が比較例の最高温度に対して２．７℃も低い温度になっている。上記のように、トレイ１に空気取込開口部１４を設けることによって、光ピックアップ５の冷却効果が高まることが分かる。
【００４２】
また、図８には、本発明の第１実施形態による光ディスク装置の光ピックアップの上面上における空気流の流速分布が示されており、図９には、トレイに空気取込開口部を有さない比較例による光ディスク装置の光ピックアップの上面上における空気流の流速分布が示されている。なお、図８および図９では、４ｍ／ｓ以上の比較的大きい流速を太矢印で示している。
【００４３】
図８および図９に示すように、本発明の光ピックアップ５の上面上の方が比較例の光ピックアップの上面上よりも全体的に流速が大きい（太矢印が多い）ことが分かる。特に、光ピックアップの中央部近傍（太線枠の部分）において、本発明の方が比較例に比べて流速が大きいことが顕著である。これにより、本発明の光ディスク装置１００の方が比較例による光ディスク装置よりも冷却効果が高まったと考えられる。また、本発明の光ディスク装置１００では、光ディスク１１０の回転に伴う空気流により、トレイ１の下方の空気が空気取込開口部１４からトレイ１の上方に引き込まれて（取り込まれて）光ピックアップ５の上面上における空気流の流速が大きくなったと考えられる。
【００４４】
（第２実施形態）
次に、本発明の第２実施形態について説明する。この第２実施形態では、上記第１実施形態と異なり、図１０に示すように、トレイ２０１に２つの空気取込開口部１４、２１４が設けられた光ディスク装置２００について説明する。なお、光ディスク装置２００は、本発明の「ディスク装置」の一例である。
【００４５】
本発明の第２実施形態による光ディスク装置２００は、図１０に示すように、２つの空気取込開口部１４および２１４を有するトレイ２０１を備えている。具体的には、トレイ２０１には、最内位置１２０に位置する光ピックアップ５に向かって延びるように形成された上記第１実施形態と同様の空気取込開口部１４と、最外位置１３０に位置する光ピックアップ５に向かって延びるように形成された空気取込開口部２１４とが設けられている。２つの空気取込開口部１４および２１４は、互いに同様の形状を有している。また、空気取込開口部２１４は、空気取込開口部１４を最内位置１２０と最外位置１３０との距離分だけＸ２方向に平行移動した位置に配置されている。なお、空気取込開口部１４は、本発明の「第１空気取込開口部」の一例であり、空気取込開口部２１４は、本発明の「第２空気取込開口部」の一例である。
【００４６】
なお、第２実施形態のその他の構成は、上記第１実施形態と同様である。
【００４７】
第２実施形態では、上記のように、ディスク回転部６による光ディスク１１０の回転方向（Ｒ方向）の上流側から最内位置１２０に配置された光ピックアップ５に向かって延びるように形成された空気取込開口部１４と、ディスク回転部６による光ディスク１１０の回転方向の上流側から最外位置１３０に配置された光ピックアップ５に向かって延びるように形成された空気取込開口部２１４とをトレイ２０１に設けることによって、光ピックアップ５が最内位置１２０および最外位置１３０の両方で高温となる光ディスク装置２００において、光ピックアップ５を効率よく冷却することができる。
【００４８】
なお、第２実施形態のその他の効果は、上記第１実施形態と同様である。
【００４９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５０】
たとえば、上記第１および第２実施形態では、空気取込開口部を切欠形状に形成する構成の例を示したが、本発明はこれに限られない。本発明では、図１１に示すように、空気取込開口部３１４をスリット形状（露出開口部に接続されていない形状）に形成する構成であってもよい。
【００５１】
また、上記第１および第２実施形態では、空気取込開口部１４のＹ１方向の端部１４ａを第１領域よりも外側で第２領域内に配置する構成の例を示したが、本発明はこれに限られない。本発明では、空気取込開口部のＹ１方向の端部を第１領域内に配置する構成であってもよいし、空気取込開口部のＹ１方向の端部を第２領域よりも外側に配置する構成であってもよい。
【００５２】
また、上記第１および第２実施形態では、トレイ全体を樹脂により形成する構成の例を示したが、本発明はこれに限られない。本発明では、トレイの一部のみを樹脂により形成してもよい。この場合、樹脂により形成された部分に空気取込開口部を形成するのが好ましい。
【００５３】
また、上記第１実施形態では、空気取込開口部を最内位置に位置する光ピックアップに向かって延びるように形成する構成の例を示したが、本発明はこれに限られない。本発明では、空気取込開口部を、最内位置以外のたとえば、最外位置に位置する光ピックアップに向かって延びるように形成する構成であってもよいし、最内位置および最外位置以外の位置に位置する光ピックアップに向かって延びるように形成する構成であってもよい。
【００５４】
また、上記第２実施形態では、トレイに２つの空気取込開口部を設ける構成の例を示したが、本発明はこれに限られない。本発明では、トレイに３つ以上の空気取込開口部を設ける構成であってもよい。
【符号の説明】
【００５５】
１  トレイ
５  光ピックアップ
６  ディスク回転部（回転部）
１１  第１領域
１２  第２領域
１３  露出開口部
１４、３１４  空気取込開口部（第１空気取込開口部）
１００、２００  光ディスク装置（ディスク装置）
１１０  光ディスク（ディスク）
１２０  最内位置（第１の位置）
１３０  最外位置（第２の位置）
２１４  空気取込開口部（第２空気取込開口部）
【図１】
2011165283.tif 000003
【図２】
2011165283.tif 000004
【図３】
2011165283.tif 000005
【図４】
2011165283.tif 000006
【図５】
2011165283.tif 000007
【図６】
2011165283.tif 000008
【図７】
2011165283.tif 000009
【図８】
2011165283.tif 000010
【図９】
2011165283.tif 000011
【図１０】
2011165283.tif 000012
【図１１】
2011165283.tif 000013